(57)【要約】【課題】洗浄モードを切り替える場合に、開弁操作を正確に行うことができる排水弁操作装置を提供する。【解決手段】本発明の排水弁操作装置は、第１連結部材４０と第２連結部材４２と第１回転巻取部４４と第２回転巻取部４６と、軸部であって、軸部が第１方向Ｒ１に回転された場合、第１回転巻取部が第１連結部材を引き上げて第１洗浄モードが実行され、且つ軸部が第２方向Ｒ２に回転された場合、第２回転巻取部が第２連結部材を引き上げて第２洗浄モードが実行される軸部３８と、第１回転巻取部４４と第２回転巻取部４６の回転方向が同一方向となるように回転させる回転方向変換部５２とを有し、第１連結部材４０及び第２連結部材４２は、それぞれ第１回転巻取部４４と第２回転巻取部４６とに同位相となる位置に連結される。【選択図】図５
2019011599.tif 000002
【特許請求の範囲】
【請求項１】
洗浄水タンク装置の洗浄水タンク内に配置された排水弁体部を引き上げることにより便器へ洗浄水の供給を開始させる排水弁操作装置であって、
上記排水弁体部に一端が連結された第１連結部材と、
上記排水弁体部に一端が連結された第２連結部材と、
上記第１連結部材の他端が連結された第１回転巻取部と、
上記第２連結部材の他端が連結された第２回転巻取部と、
上記第１回転巻取部及び上記第２回転巻取部に回転動作を伝達するように回転駆動する軸部であって、上記軸部が第１方向に回転駆動された場合には、上記第１回転巻取部が回転され、上記第１回転巻取部が上記第１連結部材及びこれに連結された上記排水弁体部を引き上げて第１洗浄水量による第１洗浄モードの便器洗浄が実行され、且つ、上記軸部が第１方向とは反対の第２方向に回転駆動された場合には、上記第２回転巻取部が回転され、上記第２回転巻取部が上記第２連結部材及びこれに連結された上記排水弁体部を引き上げて第２洗浄水量による第２洗浄モードの便器洗浄が実行される、上記軸部と、
上記第１回転巻取部と上記第２回転巻取部の回転方向が同一方向となるように、上記第１回転巻取部又は上記第２回転巻取部の何れか一方を、上記軸部の回転方向とは反対方向の回転に基づいて回転させる回転方向変換部とを有し、
上記第１連結部材及び上記第２連結部材は、それぞれ上記第１回転巻取部と上記第２回転巻取部とに同位相となる位置において連結されている排水弁操作装置。
【請求項２】
上記第１回転巻取部及び上記第２回転巻取部の軸心が、同一直線上に配置され且つ上記軸部の軸心と並列に配置される請求項１に記載の排水弁操作装置。
【請求項３】
上記軸部は、第１ギア及び第２ギアを備え、
上記回転方向変換部は、第３ギアを備え、
上記第１回転巻取部は、第４ギアを備え、
上記第２回転巻取部は、第５ギアを備え、
上記軸部の上記第１ギアは、上記回転方向変換部の上記第３ギアと係合され、この第３ギアが上記第１回転巻取部の上記第４ギアと係合され、
上記軸部の上記第２ギアは、上記第２回転巻取部の上記第５ギアと係合される請求項１又は２に記載の排水弁操作装置。
【請求項４】
上記軸部は、第１ギア及び第２ギアを備え、
上記回転方向変換部は、第３ギアを備え、
上記第１回転巻取部は、第４ギアを備え、
上記第２回転巻取部は、第５ギアを備え、
上記軸部の上記第１ギアは、上記第１回転巻取部の上記第４ギアと係合され、
上記軸部の上記第２ギアは、上記回転方向変換部の上記第３ギアと係合され、この第３ギアが上記第２回転巻取部の上記第５ギアと係合される請求項１又は２に記載の排水弁操作装置。
【請求項５】
上記回転方向変換部は一つのギアによって構成される請求項３又は４に記載の排水弁操作装置。
【請求項６】
上記排水弁操作装置を支持する支持部材は上記洗浄水タンク内の天井部に固定される請求項１乃至５の何れか１項に記載の排水弁操作装置。
【請求項７】
請求項１乃至６の何れか１項に記載の上記排水弁操作装置を備えた洗浄水タンク装置。
【請求項８】
請求項７に記載の上記洗浄水タンク装置と、
この上記洗浄水タンク装置から洗浄水が供給される水洗大便器と、を備えたトイレシステム。
【発明の詳細な説明】
【技術分野】
【０００１】
本発明は、排水弁操作装置、洗浄水タンク装置、及び、トイレシステムに係り、特に、洗浄水タンク装置の洗浄水タンク内に配置された排水弁体部を引き上げることにより便器へ洗浄水の供給を開始させる排水弁操作装置、洗浄水タンク装置、及び、トイレシステムに関する。
【背景技術】
【０００２】
従来から、特許文献１に記載されているように、便器に洗浄水を供給する洗浄水タンク装置の排水弁を開弁操作する排水弁操作装置として、操作ハンドルを手動で単一の回転方向に回転操作することにより、回転軸を回転させると共に回転巻取部材を回転させるものが知られている。この回転巻取部材は、排水弁に連結された単一の操作ワイヤを巻き上げて、開弁操作する。このような排水弁操作装置においては、単一の回転方向への操作ハンドルの回転量に応じ、回転量が比較的大きくなる場合には大洗浄モードが実行され、回転量が比較的小さくなる場合には小洗浄モードが実行されるようになっている。
【先行技術文献】
【特許文献】
【０００３】
【特許文献１】特開２０１４−１９０１３１号公報
【特許文献２】特開２０１５−１９６９４９号公報
【発明の概要】
【発明が解決しようとする課題】
【０００４】
しかしながら、使用者の操作する操作ハンドルの回転量に応じ、大洗浄モードと小洗浄モードとの切り替えを行うので、使用者の操作量にばらつきが生じ、排水弁の引き上げ量を安定させ、洗浄水タンク装置からの洗浄水の排出流量を安定させることができないという問題があった。
【０００５】
特許文献２に記載されているように、電動で排水弁を引き上げることができる排水弁操作装置として、排水弁に連結された単一の共通の操作ワイヤを手動操作ユニットによって手動で引き上げることにより開弁操作が可能であると共に、電動駆動ユニットによって自動で引き上げることにより開弁操作が可能なものも知られている。このような排水弁操作装置においては、単一の回転方向への電動駆動ユニットのモーターの回転量に応じ、操作ワイヤの引き上げ量を大きく設定した大洗浄モードと、操作ワイヤの引き上げ量を大洗浄モードよりも小さく設定した小洗浄モードとを切り替えられるようになっている。
【０００６】
これに対し、本発明の発明者らは、電動で排水弁を引き上げることができる排水弁操作装置として、１つのモーターの正回転と逆回転とを切り替えることにより、より簡単な操作で大洗浄モードと小洗浄モードを切り替えるものを検討した。しかしながら、このような構造を採用すると、モーターの回転軸の両側の位置からそれぞれ操作ワイヤにより排水弁を引き上げる必要があり、排水弁の引き上げ方向が斜めになるため、引き上げる力が分散され、排水弁の引き上げ量を安定させることができず、洗浄水タンクからの洗浄水の排出流量を安定させることができないという問題があった。また、排水弁の引き上げ方向を垂直にしようとすれば、排水弁を複数又は大型化する必要があるため、排水弁装置及び洗浄水タンク装置の小型化を阻害してしまうという問題が生じる。
さらに、１つのモーターの正回転と逆回転とを切り替えることにより大洗浄モードと小洗浄モードを切り替えるためには、大洗浄モード用の操作ワイヤと、小洗浄モード用の操作ワイヤとをそれぞれ逆方向に巻き取る巻取部材が必要となる。よって、この巻取部材を配置し且つ巻取部材の両側から操作ワイヤを巻き取るための構造を配置するスペースが必要となる。よって、排水弁操作装置及び洗浄水タンク装置が大型化してしまうという問題もあった。
【０００７】
そこで、本発明は、上述した従来技術において要請されている課題を解決するためになされたものであり、洗浄モードを切り替える場合に、開弁操作を正確に行うことができる排水弁操作装置、洗浄水タンク装置、及び、トイレシステムを提供することを目的としている。
【課題を解決するための手段】
【０００８】
上述した課題を解決するために、本発明は、洗浄水タンク装置の洗浄水タンク内に配置された排水弁体部を引き上げることにより便器へ洗浄水の供給を開始させる排水弁操作装置であって、上記排水弁体部に一端が連結された第１連結部材と、上記排水弁体部に一端が連結された第２連結部材と、上記第１連結部材の他端が連結された第１回転巻取部と、上記第２連結部材の他端が連結された第２回転巻取部と、上記第１回転巻取部及び上記第２回転巻取部に回転動作を伝達するように回転駆動する軸部であって、上記軸部が第１方向に回転駆動された場合には、上記第１回転巻取部が回転され、上記第１回転巻取部が上記第１連結部材及びこれに連結された上記排水弁体部を引き上げて第１洗浄水量による第１洗浄モードの便器洗浄が実行され、且つ、上記軸部が第１方向とは反対の第２方向に回転駆動された場合には、上記第２回転巻取部が回転され、上記第２回転巻取部が上記第２連結部材及びこれに連結された上記排水弁体部を引き上げて第２洗浄水量による第２洗浄モードの便器洗浄が実行される、上記軸部と、上記第１回転巻取部と上記第２回転巻取部の回転方向が同一方向となるように、上記第１回転巻取部又は上記第２回転巻取部の何れか一方を、上記軸部の回転方向とは反対方向の回転に基づいて回転させる回転方向変換部とを有し、上記第１連結部材及び上記第２連結部材は、それぞれ上記第１回転巻取部と上記第２回転巻取部とに同位相となる位置において連結されている。
このように構成された本発明においては、軸部により第１洗浄モードに対応して第１方向に回転駆動されて第１回転巻取部が第１連結部材を引き上げる場合と、軸部により第２洗浄モードに対応して第２方向に回転駆動されて第２回転巻取部が第２連結部材を引き上げる場合との切り替えを簡易に実行できる。さらに、回転方向変換部により、第１回転巻取部と第２回転巻取部の回転方向を同一方向とすることができるので、第１連結部材及び第２連結部材のそれぞれが、第１回転巻取部及び第２回転巻取部の同位相となる位置から、排水弁体部をほぼ垂直に引き上げることができる。
その結果、本発明によれば、第１回転巻取部と第２回転巻取部とが互いに逆方向の回転をして第１連結部材及び第２連結部材が弁体を斜めに引き上げることとなることを防ぐことができる。従って、本発明においては、洗浄モードを簡単に切り替える場合に、排水弁体部の引き上げ量を安定させ、開弁操作を正確に行うことができ、洗浄水タンクからの洗浄水の排出流量を安定させることができる。
さらに、本発明によれば、第１回転巻取部と第２回転巻取部とが同位相となる位置から同一の回転方向に第１連結部材及び第２連結部材を引き上げることとなるので、同一方向側にのみ連結部材の巻き上げスペースを設ければよいこととなり、排水弁操作装置のコンパクト化を実現することができる。
また、本発明によれば、回転方向変換部は、第１回転巻取部又は第２回転巻取部の何れか一方を軸部の回転方向とは反対方向の回転に基づいて回転させるので、一方の回転巻取部のみに回転方向変換部を設け、部品点数を少なく抑制し、排水弁操作装置のコンパクト化を実現することができる。
【０００９】
本発明において、好ましくは、上記第１回転巻取部及び上記第２回転巻取部の軸心が、同一直線上に配置され且つ上記軸部の軸心と並列に配置される。
このように構成された本発明においては、軸部の軸心上に回転巻取部を設けようとして第１回転巻取部及び第２回転巻取部の軸心がずれてしまうことや軸部の長さを長く構成しなければならなくなることを防ぐことができる。さらに、第１連結部材及び第２連結部材のいずれもが、ほぼ同一直線上の同位相となる位置から排水弁体部をより精度よくほぼ垂直に引き上げることができる。また、本発明によれば、第１回転巻取部及び第２回転巻取部の軸心が、同一直線上に配置され且つ軸部の軸心と並列に配置されるので、軸部の長さが長くなることを防ぎ、排水弁操作装置のコンパクト化を実現することができる。
【００１０】
本発明において、好ましくは、上記軸部は、第１ギア及び第２ギアを備え、上記回転方向変換部は、第３ギアを備え、上記第１回転巻取部は、第４ギアを備え、上記第２回転巻取部は、第５ギアを備え、上記軸部の上記第１ギアは、上記回転方向変換部の上記第３ギアと係合され、この第３ギアが上記第１回転巻取部の上記第４ギアと係合され、さらに、上記軸部の上記第２ギアは、上記第２回転巻取部の上記第５ギアと係合される。
このように構成された本発明においては、軸部の回転をギアにより第１回転巻取部及び第２回転巻取部まで伝達するので、カム等により回転を伝達する場合と比べて排水弁操作装置をよりコンパクトに形成することができ、且つ排水弁体部の引き上げ精度をより向上させることができる。また、本発明によれば、軸部の回転トルクをギアにより伝達効率よく第１回転巻取部及び第２回転巻取部まで伝達することができる。
【００１１】
本発明において、好ましくは、上記軸部は、第１ギア及び第２ギアを備え、上記回転方向変換部は、第３ギアを備え、上記第１回転巻取部は、第４ギアを備え、上記第２回転巻取部は、第５ギアを備え、上記軸部の上記第１ギアは、上記第１回転巻取部の上記第４ギアと係合され、上記軸部の上記第２ギアは、上記回転方向変換部の上記第３ギアと係合され、この第３ギアが上記第２回転巻取部の上記第５ギアと係合される。
このように構成された本発明においては、軸部の回転をギアにより第１回転巻取部及び第２回転巻取部まで伝達するので、カム等により回転を伝達する場合と比べて排水弁操作装置をよりコンパクトに形成することができ、且つ排水弁体部の引き上げ精度をより向上させることができる。また、本発明によれば、軸部の回転トルクをギアにより伝達効率よく第１回転巻取部及び第２回転巻取部まで伝達することができる。
【００１２】
本発明において、好ましくは、上記回転方向変換部は一つのギアによって構成される。
このように構成された本発明においては、回転方向変換部を一つのギアによって構成しているので、排水弁操作装置をよりコンパクトに形成することができる。さらに、ギアによる駆動力の伝達効率の低下を最小限に抑制することができ、排水弁体部の引き上げ精度をより向上させることができる。
【００１３】
本発明において、好ましくは、上記排水弁操作装置を支持する支持部材は上記洗浄水タンク内の天井部に固定される。
このように構成された本発明においては、回転方向変換部を備えた分だけ部品点数が多くなり重量が増大する場合においても、排水弁操作装置を支持する支持部材を洗浄水タンク内の天井部に固定するので、排水弁操作装置が重量変形により動作不良となることを抑制することができる。
【００１４】
また、本発明は、上記排水弁操作装置を備えた洗浄水タンク装置である。
このように構成された本発明においては、第１洗浄モード及び第２洗浄モードの切り替えを簡易に実行でき、且つ排水弁体部の引き上げ量を安定させることにより洗浄水タンクからの洗浄水の排出流量を安定させることができる洗浄水タンク装置を提供することができる。
【００１５】
さらに、本発明は、上記洗浄水タンク装置と、この上記洗浄水タンク装置から洗浄水が供給される水洗大便器と、を備えたトイレシステムである。
このように構成された本発明においては、洗浄水タンク装置から便器本体への洗浄水の供給が安定して行われるので、便器本体での洗浄性能を安定させることができるトイレシステムを提供することができる。
【発明の効果】
【００１６】
本発明の排水弁操作装置、洗浄水タンク装置、及び、トイレシステムによれば、洗浄モードを切り替える場合に、開弁操作を正確に行うことができる。
【図面の簡単な説明】
【００１７】
【図１】本発明の一実施形態による排水弁操作装置が適用された洗浄水タンク装置を備えたトイレシステムを示す概略分解斜視図である。
【図２】本発明の一実施形態による排水弁操作装置が適用された洗浄水タンク装置の内部構造を示す概略正面図である。
【図３】本発明の一実施形態による排水弁操作装置によって操作される排水弁装置の開弁操作を開始する前の待機状態（閉弁状態）を示す概略正面断面図である。
【図４】本発明の一実施形態による排水弁操作装置を先端部側の斜め上方から見た分解斜視図である。
【図５】本発明の一実施形態による排水弁操作装置をホルダ及び第１乃至第４ケースを省略した状態で先端部側の斜め上方から見た概略斜視図である。
【図６】本発明の一実施形態による排水弁操作装置の軸部材、第１乃至第４ギア部材、第１及び第２プーリ、第１及び第２操作ワイヤを基端部側の斜め上方から見た分解斜視図である。
【図７】図５に示す排水弁操作装置からさらに第２ギア部材、第２プーリ及び第２操作ワイヤを省略した状態で基端部側の斜め上方から見た概略斜視図である。
【図８】図５に示す排水弁操作装置からさらに第１ギア部材、第３ギア部材、第４ギア部材、第１プーリ及び第１操作ワイヤを省略した状態で基端部側の斜め上方から見た概略斜視図である。
【発明を実施するための形態】
【００１８】
以下、添付図面を参照して、本発明の一実施形態による排水弁操作装置について説明する。まず、図１により、本発明の一実施形態による排水弁操作装置が適用される洗浄水タンク装置を備えたトイレシステムの概略について説明する。
【００１９】
図１に示すように、本発明の一実施形態による排水弁操作装置１は、トイレシステムＴの壁掛式の水洗大便器２に洗浄水を供給する洗浄水タンク装置４に設けられている。
この洗浄水タンク装置４の左右両側は、トイレシステムＴの水洗大便器２の後端部を壁Ｗ１を介して壁裏側から固定する固定装置６によって固定されている。
また、洗浄水タンク装置４は、壁Ｗ１の裏側領域内に隠蔽された重力給水式の洗浄水タンク８を備えており、この洗浄水タンク８内の洗浄水について重力を利用して水洗大便器２の便器本体１０に洗浄水を供給するものである。洗浄水タンク装置４は、壁Ｗ１の裏側に隠蔽され、洗浄水タンク８内の奥行スペースが小さく限られている隠蔽式の洗浄水タンク装置である。
【００２０】
図２に示すように、洗浄水タンク装置４の洗浄水タンク８の内部には、排水弁操作装置１、給水弁装置１２、及び、排水弁装置１４がそれぞれ設けられている。
まず、給水弁装置１２は、水道等の洗浄水タンク８の外部の給水源（図示せず）と接続される給水管１６と、この給水管１６から給水される洗浄水の吐水と止水を切り替える給水バルブ１８と、洗浄水タンク８内の水位の変動に応じて上下動して給水バルブ１８を開閉するフロート２０とを備えている。
【００２１】
図２及び図３に示すように、排水弁装置１４は、排水口形成部材２１、排水弁体２４、オーバーフロー管２６、大洗浄モード用の操作レバー２８、フック部材３０、及び、小洗浄モード用の操作レバー３２を備えている。
【００２２】
排水口形成部材２１は、洗浄水タンク８の底部に接続され、洗浄水タンク８内の底面に排水口２２を形成すると共に、この排水口２２の上縁に沿って弁座２２ａを形成している。排水口２２は、接続管３４を介して便器本体１０の導水路（図示せず）に接続される。排水弁体２４は、オーバーフロー管２６の下端近傍に取り付けられており、オーバーフロー管２６が最低位置にあるとき、弁座２２ａに当接して排水口２２を閉止するようになっている。オーバーフロー管２６は、上下方向に摺動可能となっている。オーバーフロー管２６の上方開口形成部２６ａの外面には、大洗浄モード用の操作レバー２８が連結されている。そして、大洗浄モードの開弁操作時に、操作レバー２８が後述する第１操作ワイヤ４０により引き上げられることにより、オーバーフロー管２６及び排水弁体２４が上昇して、排水口２２が開放されるようになっている。
【００２３】
オーバーフロー管２６の上方開口形成部２６ａの下部には、フック部材３０が設けられている。このフック部材３０には、小洗浄モード用の操作レバー３２が連結されている。
そして、小洗浄モードの開弁操作時に、操作レバー３２が後述する第２操作ワイヤ４２により引き上げられることにより、フック部材３０と共にオーバーフロー管２６及び排水弁体２４が上昇して、排水口２２が開放されるようになっている。
【００２４】
すなわち、オーバーフロー管２６、操作レバー２８、３２及び排水弁体２４の全体が、実質的には、排水弁体部として機能するようになっている。また、洗浄水タンク８内の水位がオーバーフロー管２６の上端位置を超えた場合には、この超えた洗浄水がオーバーフロー管２６内から、これと常時連通している排水口２２内に排出されるようになっている。
【００２５】
つぎに、図２、図４乃至図６を参照して、本発明の一実施形態による排水弁操作装置１について説明する。排水弁操作装置１は、洗浄水タンク装置４の洗浄水タンク８内に配置された排水弁体２４を引き上げることにより便器本体１０へ洗浄水の供給を開始させるようになっている。排水弁操作装置１において電動駆動部３６側を基端部側とし、これに対し第１プーリ４４側を先端側とする。
【００２６】
排水弁操作装置１は、電動駆動部３６と、電動駆動部３６の回転軸と接続される軸部材３８と、大洗浄モード用の操作レバー２８に一端が取付けられた第１操作ワイヤ（第１連結部材）４０と、小洗浄モード用の操作レバー３２に一端が取付けられた第２操作ワイヤ（第２連結部材）４２と、第１操作ワイヤ４０の他端が取付けられた第１プーリ４４と、第２操作ワイヤ４２の他端が取付けられた第２プーリ４６と、第１ギア部材４８と、第２ギア部材５０と、第３ギア部材（回転方向変換部）５２と、第４ギア部材５４と、電動駆動部３６を洗浄水タンク８内に固定するホルダ５６と、電動駆動部３６をホルダ５６との間に配置する第１ケース５８と、第１ケース５８との間において、第１ギア部材４８、第２ギア部材５０、第３ギア部材５２及び第４ギア部材５４を回転可能に支持する第２ケース６０と、第２ケース６０との間において、第２プーリ４６を回転可能に支持する第３ケース６２と、第３ケース６２との間において、第１プーリ４４及び第４ギア部材５４を回転可能に支持する第４ケース６４とを備えている。
【００２７】
電動駆動部３６は、電動モータであり、電力による電動モータの駆動により回転軸が回転駆動される。電動駆動部３６は、制御部６６と電気的に接続され、制御部６６の指令を受けて制御される。電動駆動部３６は、大洗浄モードの開弁操作の指令を受けた場合には第１方向Ｒ１に回動され、小洗浄モードの開弁操作の指令を受けた場合には第２方向Ｒ２に回動されるようになっている。電動駆動部３６は、大洗浄モードの開弁操作と、小洗浄モードの開弁操作との切り替えを簡易に回転方向の逆転によって実行できるようになっている。
制御部６６は、壁Ｗ１上に設けられた操作パネル６８に配置される。使用者が操作パネル６８等を操作して送信された信号及び／又は、水洗大便器２の周辺に設置された人感センサ（図示せず）が感知して送信された信号に基づいて、制御部６６が電動モータの駆動を制御し、電動駆動部３６の回転駆動が制御されるようになっている。
【００２８】
軸部材３８は、基端部側において電動駆動部３６の回転軸と接続される接続部３８ａと、接続部３８ａから先端部側に向けて延びる軸３８ｂと、中間部において第１ギア部材４８と係合するように軸３８ｂから突出する第１突起部３８ｃと、先端側において第２ギア部材５０と係合するように軸３８ｂから突出する第２突起部３８ｄと、を備えている。このような軸部材３８は、電動駆動部３６の回転軸とともに回転するようになっている。
【００２９】
後述するように軸部材３８が第１方向Ｒ１に回転駆動された場合には、第１プーリ４４が回転され、第１プーリ４４が第１操作ワイヤ４０及びこれに連結された排水弁体部を引き上げて第１洗浄水量による第１洗浄モードの便器洗浄が実行されるようになっている。
軸部材３８が第１方向Ｒ１とは反対の第２方向Ｒ２に回転駆動された場合には、第２プーリ４６が回転され、第２プーリ４６が第２操作ワイヤ４２及びこれに連結された排水弁体部を引き上げて第２洗浄水量による第２洗浄モードの便器洗浄が実行されるようになっている。
【００３０】
第１操作ワイヤ４０は、大洗浄モード用の操作ワイヤであり、大洗浄モード用の操作レバー２８と、第１プーリ４４とを連結している。第１操作ワイヤ４０と操作レバー２８との連結は第１操作ワイヤ４０の上昇時に操作レバー２８と係合すれば、第１操作ワイヤ４０の待機時又は下降時に操作レバー２８から外れるようになっていてもよい。
第２操作ワイヤ４２は、小洗浄モード用の操作ワイヤであり、小洗浄モード用の操作レバー３２と、第２プーリ４６とを連結している。第２操作ワイヤ４２と操作レバー３２との連結は第２操作ワイヤ４２の上昇時に操作レバー３２と係合すれば、第２操作ワイヤ４２の待機時又は下降時に操作レバー３２から外れるようになっていてもよい。
【００３１】
第１プーリ４４は、第４ギア部材５４の後述する十字形状の第４ギア軸部５４ｂと嵌合する十字孔部４４ａと、十字孔部４４ａから半径方向外側に突出する扇形部分の外周に形成されるプーリー部４４ｂと、プーリー部４４の一端において第１操作ワイヤ４０の端部と嵌合する取付部４４ｃとを備えている。第１プーリ４４のプーリー部４４ｂは第１プーリ４４の回転に伴い第１操作ワイヤ４０を自身の回転方向に沿ってプーリー部４４ｂの溝内に巻き取りながら引き上げるようになっている。第１プーリ４４は、第１回転巻取部に相当する。
【００３２】
第２プーリ４６は、基端部側において第２ギア部材５０と係合する第５ギア４６ａと、第２プーリ４６の中央を貫通するように形成された貫通孔部４６ｂと、貫通孔部４６ｂから半径方向外側に突出する扇形部分の外周に形成されるプーリー部４６ｃと、プーリー部４６ｃの一端において第２操作ワイヤ４２の端部と嵌合する取付部４６ｄとを備えている。
貫通孔部４６ｂは、第４ギア部材５４の軸部分の外径よりも大きな円形開口を形成している。第２プーリ４６のプーリー部４６ｃは第２プーリ４６の回転に伴い第２操作ワイヤ４２を自身の回転方向に沿ってプーリー部４６ｃの溝内に巻き取りながら引き上げるようになっている。第２プーリ４６は、第２回転巻取部に相当する。
【００３３】
第１ギア部材４８は、その基端部側において、軸３８ｂ用の中心孔の周囲が扇形形状に切り欠かれた第１ギア中空部４８ａと、第１ギア中空部４８ａの一端において第１突起部３８ｃと当接することができる第１ギア当接部４８ｂと、その先端部側において、外周に形成される第１ギア４８ｃと、を備えている。第１ギア中空部４８ａは、軸部材３８の軸３８ｂ及び第２突起部３８ｄを通すことができ、さらに、第１突起部３８ｃを受け入れるように形成される。第１突起部３８ｃが第１方向Ｒ１に回動する場合には、第１突起部３８ｃが第１ギア中空部４８ａの第１ギア当接部４８ｂに当接し、第１ギア中空部４８ａすなわち第１ギア部材４８が第１方向Ｒ１に回動する。第１突起部３８ｃが第２方向Ｒ２に回動する場合には、第１突起部３８ｃは第１ギア中空部４８ａ内の空間を移動し、第１ギア中空部４８ａの第１ギア当接部４８ｂと当接していないので、第１ギア中空部４８ａすなわち第１ギア部材４８は待機状態を維持し、回動されない。軸部材３８及び第１ギア部材４８は、軸部に相当する。
【００３４】
第２ギア部材５０は、軸３８ｂ用の中心孔の周囲が扇形形状に切り欠かれた第２ギア中空部５０ａと、第２ギア中空部５０ａの一端において第２突起部３８ｄと当接することができる第２ギア当接部５０ｂと、その先端部側において、外周に形成される第２ギア５０ｃと、を備えている。第２ギア中空部５０ａは、軸部材３８の軸３８ｂを通すことができ、さらに、第２突起部３８ｄを受け入れるように形成される。第２突起部３８ｄが第２方向Ｒ２に回動する場合には、第２突起部３８ｄが第２ギア中空部５０ａの第２ギア当接部５０ｂに当接し、第２ギア中空部５０ａすなわち第２ギア部材５０が第２方向Ｒ２に回動する。第２突起部３８ｄが第１方向Ｒ１に回動する場合には、第２突起部３８ｄは第２ギア中空部５０ａ内の空間を移動し、第２ギア当接部５０ｂと当接していないので、第２ギア中空部５０ａすなわち第２ギア部材５０は待機状態を維持し、回動されない。第２ギア部材５０も、軸部に相当する。
【００３５】
第３ギア部材５２は、外周に形成される第３ギア５２ａを備えている。第３ギア５２ａは、第１ギア４８ｃ及び後述する第４ギア部材５４と係合する。第３ギア５２ａは、電動駆動部３６の回転方向がモードに応じて逆回転とされる場合に、第１プーリ４４と第２プーリ４６の回転方向が同一方向となるように軸部材３８の回転方向とは反対方向の回転を第１プーリ４４又は第２プーリ４６の何れか一方に与える。第３ギア部材５２は、一つのギアによって回転方向変換部として機能する。回転方向変換部は、複数のギアによって構成されていてもよい。
【００３６】
第４ギア部材５４は、基端部側から先端部側まで断面が十字形状に形成される第４ギア軸部５４ｂと、第４ギア軸部５４ｂの基端部側の外周に形成される第４ギア５４ａと、を備えている。第４ギア部材５４の第４ギア軸部５４ｂは、第２ケース６０と第３ケース６２とを貫通するように配置され、且つ第１ケース５８と第４ケース６４との間で自在に回転できるように支持されている。第４ギア部材５４は、第１回転巻取部に相当する。
【００３７】
ホルダ５６及び第４ケース６４は、洗浄水タンク８内の天井部８ａに固定される。ホルダ５６及び第４ケース６４は、排水弁操作装置１を支持する支持部材に相当する。
【００３８】
次に、図５及び図６により、各ギア等の係合関係について説明する。
第１ギア部材４８の第１ギア４８ｃは、第３ギア部材５２の第３ギア５２ａと係合される。この第３ギア５２ａは、第４ギア部材５４の第４ギア５４ａと係合される。
第２ギア部材５０の第２ギア５０ｃは、第２プーリ４６の第５ギア４６ａと係合される。
【００３９】
次に、図５及び図６により、第１操作ワイヤ４０と第１プーリ４４との取付位置、及び第２操作ワイヤ４２と第２プーリ４６との取付位置について説明する。
第１プーリ４４のプーリー部４４ｂの半径と、第２プーリ４６のプーリー部４６ｃの半径とが同じ半径に形成されている。第１プーリ４４の取付部４４ｃと第２プーリ４６の取付部４６ｄとは、待機状態において、回転中心軸線Ａ２方向にほぼ並列して配置されている。待機状態において、第１プーリ４４の取付部４４ｃと第２プーリ４６の取付部４６ｄとは、頂部に対して同じ回転角度の位置に配置されているので、操作開始の時点での高さ及び洗浄水タンク８の前後方向の位置がほぼ同じとされている。よって、第１操作ワイヤ４０と第１プーリ４４の取付部４４ｃとの連結位置と、第２操作ワイヤ４２と第２プーリ４６の取付部４６ｄとの連結位置とは同位相となる位置にされている。同位相とは、第１プーリ４４及び第２プーリ４６が回転移動する円周に対し、円周の頂部に対する回転の進行段階が同じ程度であることをいう。
また、第１操作ワイヤ４０及び第２操作ワイヤ４２は、回転中心軸線Ａ２に対して同一方向側に設けられるので、第１操作ワイヤ４０及び第２操作ワイヤ４２の引き上げ空間（及び操作レバー２８、３２の引き上げ空間）も回転中心軸線Ａ２に対して同一方向側にのみ設けられる。よって、排水弁操作装置１及び洗浄水タンク装置４のコンパクト化を実現することができる。
また、第１プーリ４４及び第４ギア部材５４の軸心と、第２プーリ４６の軸心とは、同一直線上、すなわち回転中心軸線Ａ２上に配置される。第１プーリ４４、第４ギア部材５４及び第２プーリ４６の軸心である回転中心軸線Ａ２は、軸部材３８、第１ギア部材４８及び第２ギア部材５０の軸心である回転中心軸線Ａ１とは並列な直線上に配置される。
【００４０】
つぎに、図３、図７及び図８を参照して、本発明の一実施形態による排水弁操作装置の動作（作用）について、排水弁装置の動作と合わせて説明する。
まず、図３及び図７を参照して、本実施形態による排水弁操作装置１を用いて大洗浄モードの開弁操作を行ったときの動作について説明する。図７においては、大洗浄モードの開弁操作をわかりやすく説明するため、第２ギア部材５０及び第２プーリ４６等を省略し、軸部材３８、第１ギア部材４８、第３ギア部材５２、第４ギア部材５４、第１プーリ４４及び第１操作ワイヤ４０の動作を概略的に示している。
【００４１】
まず、図３に示すように、排水弁装置１４の排水弁体２４が排水口２２を閉止している待機状態Ｓ０から、排水弁操作装置１の電動操作により排水弁体２４について、大洗浄モードで開弁操作する。待機状態Ｓ０においては貯水タンク８内の洗浄水の水位は、満水水位ＷＬ０となっている。この際、例えば、使用者が操作パネル６８等の所定の操作をすることにより大洗浄モードの便器洗浄操作を指示するか、或いは、人感センサ（図示せず）が使用者を検知すると、これらの信号が制御部６６に送信される。
【００４２】
制御部６６の指令を受けて電動駆動部３６が作動し、軸部材３８が回転中心軸線Ａ１（図６参照）を中心に第１方向Ｒ１に回動される。第１方向Ｒ１は反時計回りの方向である。軸部材３８の第１突起部３８ｃが第１方向Ｒ１に回動する場合には、第１突起部３８ｃが第１ギア中空部４８ａの第１ギア当接部４８ｂに当接し、第１ギア中空部４８ａすなわち第１ギア部材４８が第１方向Ｒ１に回動する。第１ギア部材４８の第１ギア４８ｃが第１方向Ｒ１に回動するとき、第１ギア４８ｃと係合する第３ギア部材５２の第３ギア５２ａは、第２方向Ｒ２に回動する。第２方向Ｒ２は、第１方向Ｒ１と逆方向の時計回りの方向である。第３ギア部材５２の第３ギア５２ａが第２方向Ｒ２に回動するとき、第３ギア５２ａと係合する第４ギア部材５４の第４ギア５４ａは、回転中心軸線Ａ２（図６参照）を中心に第１方向Ｒ１に回動する。
【００４３】
第４ギア部材５４の第４ギア５４ａは、第１方向Ｒ１に回動するとき、第４ギア部材５４の第４ギア軸部５４ｂと係合する第１プーリ４４の十字孔部４４ａが第１方向Ｒ１に回動され、プーリー部４４ｂが回転中心軸線Ａ２を中心に第１方向Ｒ１に回動される。よって、第１操作ワイヤ４０が、プーリー部４４ｂの第１方向Ｒ１の回転に伴い、プーリー部４４ｂの溝内に巻き付きながら引き上げられる。
【００４４】
このとき、図７に示すように、大洗浄モード用の第１操作ワイヤ４０は、プーリー部４４ｂの取付部４４ｃの初期位置からほぼ鉛直方向に引き上げられる。これにより、第１操作ワイヤ４０に連結された大洗浄モード用の操作レバー２８がほぼ鉛直方向に引き上げられる。大洗浄モード用の操作レバー２８の鉛直方向の引き上げにより、排水弁装置１４のオーバーフロー管２６及び排水弁体２４についても、大洗浄モード（第１洗浄モード）の便器洗浄を実行するために必要な第１洗浄水量を供給できる所定距離だけ精確に引き上げられる。排水弁体２４が弁座２２ａから離間して開弁すると、洗浄水タンク８内の洗浄水の排水口２２から便器本体１０の導水路（図示せず）への排水が開始される。図３に示すように、大洗浄モードにおいては、洗浄水タンク８内の水位は大洗浄モードの最低水位ＤＷＬ１となる。洗浄水タンク８内の満水水位ＷＬ０から最低水位ＤＷＬ１まで低下した第１洗浄水量が、排水口２２から便器本体１０に導水路（図示せず）に供給されて、大洗浄モードによる便器洗浄が行われる。
【００４５】
一方、大洗浄モード用の第１操作ワイヤ４０の引き上げ時に、小洗浄モード用の第２操作ワイヤ４２は操作されない。軸部材３８が第１方向Ｒ１に回動されるとき、第２突起部３８ｄ（図６参照）が第１方向Ｒ１に回動される。第２突起部３８ｄが第１方向に回動する場合には、第２突起部３８ｄは第２ギア中空部５０ａ内の空間内を移動し、第２ギア当接部５０ｂと当接していないので、第２ギア中空部５０ａすなわち第２ギア部材５０は待機状態を維持し、回動されない。従って、第２ギア部材５０は、回動されず、第２ギア部材５０の第２ギア５０ｃと係合される第２プーリ４６の第５ギア４６ａも回動されない。従って、第２プーリ４６は待機状態のままであり、第２操作ワイヤ４２も待機状態のままとなっている。よって、小洗浄モード用の操作レバー３２が引き上げられることなく、静止した状態となっている。
【００４６】
つぎに、図３及び図８を参照して、本実施形態による排水弁操作装置１を用いて小洗浄モードの開弁操作を行ったときの動作について説明する。図８においては、小洗浄モードの開弁操作をわかりやすく説明するため、第１ギア部材４８、第３ギア部材５２、第４ギア部材５４及び第１プーリ４４等を省略し、第２ギア部材５０、第２プーリ４６及び第２操作ワイヤ４２の動作を概略的に示している。
【００４７】
まず、図３に示すように、排水弁装置１４の排水弁体２４が排水口２２を閉止している待機状態Ｓ０から、排水弁操作装置１の電動操作により排水弁体２４について、小洗浄モードで開弁操作する。
【００４８】
制御部６６の指令を受けて電動駆動部３６が作動し、軸部材３８が回転中心軸線Ａ１（図６参照）を中心に第２方向Ｒ２に回動される。第２方向Ｒ２は時計回りの方向である。軸部材３８の第２突起部３８ｄが第２方向Ｒ２に回動する場合には、第２突起部３８ｄが第２ギア中空部５０ａの第２ギア当接部５０ｂに当接し、第２ギア中空部５０ａすなわち第２ギア部材５０が第２方向Ｒ２に回動する。第２ギア部材５０の第２ギア５０ｃが第２方向Ｒ２に回動するとき、第２ギア５０ｃと係合する第２プーリ４６の第５ギア４６ａは、第１方向Ｒ１に回動する。第１方向Ｒ１は、第２方向Ｒ２と逆方向の反時計回りの方向である。よって、第２プーリ４６のプーリー部４６ｃが回転中心軸線Ａ２を中心に第１方向Ｒ１に回動される。よって、第２操作ワイヤ４２が、プーリー部４６ｃの第１方向Ｒ１の回転に伴い、プーリー部４６ｃの溝内に巻き付きながら引き上げられる。
【００４９】
このとき、図８に示すように、小洗浄モード用の第２操作ワイヤ４２は、プーリー部４６ｃの取付部４６ｄの初期位置からほぼ鉛直方向に引き上げられる。これにより、第２操作ワイヤ４２に連結された小洗浄モード用の操作レバー３２がほぼ鉛直方向に引き上げられる。小洗浄モード用の操作レバー３２の鉛直方向の引き上げにより、排水弁装置１４のオーバーフロー管２６及び排水弁体２４についても、小洗浄モード（第２洗浄モード）の便器洗浄を実行するために必要な第２洗浄水量を供給できる所定距離だけ精確に引き上げられる。排水弁体２４が弁座２２ａから離間して開弁すると、洗浄水タンク８内の洗浄水の排水口２２から便器本体１０の導水路（図示せず）への排水が開始される。これらの結果、小洗浄モードにおいては、大洗浄モードの第１洗浄水量よりも少ない第２洗浄水量の小洗浄モードによる便器洗浄が行われる。図３に示すように、小洗浄モードにおいては、洗浄水タンク８内の水位は小洗浄モードの最低水位ＤＷＬ２となる。洗浄水タンク８内の満水水位ＷＬ０から最低水位ＤＷＬ２まで低下した第２洗浄水量が、排水口２２から便器本体１０に導水路（図示せず）に供給されて、小洗浄モードによる便器洗浄が行われる。
【００５０】
一方、小洗浄モード用の第２操作ワイヤ４２の引き上げ時に、大洗浄モード用の第１操作ワイヤ４０は操作されないようにされる。軸部材３８が第２方向Ｒ２に回動されるとき、第１突起部３８ｃ（図６参照）が第２方向Ｒ２に回動される。第１突起部３８ｃが第２方向Ｒ２に回動する場合には、第１突起部３８ｃは第１ギア中空部４８ａ内の空間内を移動し、第１ギア当接部４８ｂと当接していないので、第１ギア中空部４８ａすなわち第１ギア部材４８は待機状態を維持し、回動されない。従って、第１ギア部材４８は、回動されず、第１ギア部材４８の第１ギア４８ｃと係合される第３ギア部材５２の第３ギア５２ａも回動されない。さらに、第３ギア５２ａと係合される第４ギア部材５４の第４ギア５４ａも回動されない。従って、第４ギア部材５４及び第１プーリ４４は待機状態のままであり、第１操作ワイヤ４０も待機状態のままとなっている。よって、大洗浄モード用の操作レバー２８が引き上げられることなく、静止した状態となっている。
【００５１】
本実施形態による排水弁操作装置１においては、軸部材３８に第１ギア部材４８及び第２ギア部材５０が取付られ、第１ギア部材４８は第３ギア部材５２を介して第４ギア部材５４に回転を伝達し、第２ギア部材５０は第２プーリ４６の第５ギア４６ａと係合している。
しかしながら、変形例として、軸部材３８に第１ギア部材４８及び第２ギア部材５０が取付られ、第１ギア部材４８は第４ギア部材５４と係合され、第２ギア部材５０は第３ギア部材５２を介して第２プーリ４６の第５ギア４６ａに回転を伝達するように構成されていてもよい。より具体的には、第１ギア部材４８の第１ギア４８ｃが第４ギア部材５４の第４ギア５４ａと係合され、さらに、第２ギア部材５０の第２ギア５０ｃが第３ギア部材５２の第３ギア５２ａと係合され、この第３ギア５２ａが第２プーリ４６の第５ギア４６ａと係合する。このような構成を採用した場合にも、第３ギア部材５２により、第１プーリ４４と第２プーリ４６の回転方向を同一方向とすることができる。このような構造を採用した場合にも、第１操作ワイヤ４０と第１プーリ４４の取付部４４ｃとの連結位置と、第２操作ワイヤ４２と第２プーリ４６の取付部４６ｄとの連結位置とは同位相となる位置となる。
【００５２】
上述した本発明の一実施形態による排水弁操作装置１によれば、軸部が第１洗浄モードに対応して第１方向Ｒ１に回転駆動されて第１プーリ４４が第１操作ワイヤ４０を引き上げる場合と、軸部が第２洗浄モードに対応して第２方向Ｒ２に回転駆動されて第２プーリ４６が第２操作ワイヤ４２を引き上げる場合との切り替えを簡易に実行できる。さらに、第３ギア部材５２により、第１プーリ４４と第２プーリ４６の回転方向を同一方向とすることができるので、第１操作ワイヤ４０及び第２操作ワイヤ４２のそれぞれが、第１プーリ４４及び第２プーリ４６の同位相となる位置から、排水弁体部をほぼ垂直に引き上げることができる。
その結果、本発明によれば、第１プーリ４４と第２プーリ４６とが互いに逆方向の回転をして第１操作ワイヤ４０及び第２操作ワイヤ４２が弁体を斜めに引き上げることとなることを防ぐことができる。従って、本発明においては、洗浄モードを簡単に切り替える場合に、排水弁体部の引き上げ量を安定させ、開弁操作を正確に行うことができ、洗浄水タンク８からの洗浄水の排出流量を安定させることができる。
さらに、本発明によれば、第１プーリ４４と第２プーリ４６とが同位相となる位置から同一の回転方向に第１操作ワイヤ４０及び第２操作ワイヤ４２を引き上げることとなるので、同一方向側にのみ連結部材の巻き上げスペースを設ければよいこととなり、排水弁操作装置１のコンパクト化を実現することができる。
また、本発明によれば、第３ギア部材５２は、第１プーリ４４又は第２プーリ４６の何れか一方を軸部の回転方向とは反対方向の回転に基づいて回転させるので、一方の回転巻取部のみに第３ギア部材５２を設け、部品点数を少なく抑制し、排水弁操作装置１のコンパクト化を実現することができる。
【００５３】
また、本実施形態による排水弁操作装置１によれば、軸部の軸心上に回転巻取部を設けようとして第１プーリ４４及び第２プーリ４６の軸心がずれてしまうことや軸部の長さを長く構成しなければならなくなることを防ぐことができる。さらに、第１操作ワイヤ４０及び第２操作ワイヤ４２のいずれもが、ほぼ同一直線上の同位相となる位置から排水弁体部をより精度よくほぼ垂直に引き上げることができる。また、本発明によれば、第１プーリ４４及び第２プーリ４６の軸心が、同一直線上に配置され且つ軸部の軸心と並列に配置されるので、軸部の長さが長くなることを防ぎ、排水弁操作装置１のコンパクト化を実現することができる。
【００５４】
さらに、本実施形態による排水弁操作装置１によれば、軸部の回転をギアにより第１プーリ４４及び第２プーリ４６まで伝達するので、カム等により回転を伝達する場合と比べて排水弁操作装置１をよりコンパクトに形成することができ、且つ排水弁体部の引き上げ精度をより向上させることができる。また、本発明によれば、軸部の回転トルクをギアにより伝達効率よく第１プーリ４４及び第２プーリ４６まで伝達することができる。
【００５５】
また、本実施形態による排水弁操作装置１によれば、軸部の回転をギアにより第１プーリ４４及び第２プーリ４６まで伝達するので、カム等により回転を伝達する場合と比べて排水弁操作装置１をよりコンパクトに形成することができ、且つ排水弁体部の引き上げ精度をより向上させることができる。また、本発明によれば、軸部の回転トルクをギアにより伝達効率よく第１プーリ４４及び第２プーリ４６まで伝達することができる。
【００５６】
さらに、本実施形態による排水弁操作装置１によれば、第３ギア部材５２を一つのギアによって構成しているので、排水弁操作装置１をよりコンパクトに形成することができる。さらに、ギアによる駆動力の伝達効率の低下を最小限に抑制することができ、排水弁体部の引き上げ精度をより向上させることができる。
【００５７】
さらに、本実施形態による排水弁操作装置１によれば、第３ギア部材５２を備えた分だけ部品点数が多くなり重量が増大する場合においても、排水弁操作装置１を支持する支持部材を洗浄水タンク８内の天井部８ａに固定するので、排水弁操作装置１が重量変形により動作不良となることを抑制することができる。
【００５８】
さらに、本実施形態による排水弁操作装置１によれば、第１洗浄モード及び第２洗浄モードの切り替えを簡易に実行でき、且つ排水弁体部の引き上げ量を安定させることにより洗浄水タンク８からの洗浄水の排出流量を安定させることができる洗浄水タンク装置４を提供することができる。
【００５９】
さらに、本実施形態による排水弁操作装置１によれば、洗浄水タンク装置４から便器本体１０への洗浄水の供給が安定して行われるので、便器本体１０での洗浄性能を安定させることができるトイレシステムＴを提供することができる。
【符号の説明】
【００６０】
１            排水弁操作装置
２            水洗大便器
４            洗浄水タンク装置
８            洗浄水タンク
８ａ          天井部
１０          便器本体
１４          排水弁装置
２４          排水弁体
２６          オーバーフロー管
２８          操作レバー
３２          操作レバー
３８          軸部材
４０          第１操作ワイヤ
４２          第２操作ワイヤ
４４          第１プーリ
４６          第２プーリ
４６ａ        第５ギア
４８          第１ギア部材
５０          第２ギア部材
５２          第３ギア部材
５４          第４ギア部材
６６          制御部
６８          操作パネル
Ｒ１          第１方向
Ｒ２          第２方向
Ｔ            トイレシステム
【図１】
2019011599.tif 000003
【図２】
2019011599.tif 000004
【図３】
2019011599.tif 000005
【図４】
2019011599.tif 000006
【図５】
2019011599.tif 000007
【図６】
2019011599.tif 000008
【図７】
2019011599.tif 000009
【図８】
2019011599.tif 000010